(57)【特許請求の範囲】
【請求項１】
受信機制御用プログラムを格納するためのメモリであって、２つのプログラム格納エリアを有し、いずれか一方のエリアが現在使用されている受信機制御用プログラムデータを格納するためのエリアとして用いられ、他方のエリアがダウンロードによって得られる受信機制御用の新プログラムデータを格納するためのエリアとして用いられる、電気的書き換え可能な不揮発性メモリからなるプログラムメモリを備えているとともに、静止画取込み指令に基づいて現在放映されている画像の静止画像を取り込んで記憶する機能と、静止画表示指令に基づいて既に記憶している静止画像を表示させる機能とを備えているデジタルテレビ放送受信機において、
静止画取込み指令が入力された際に、静止画像を取り込む手段、および
プログラムメモリ内の２つのプログラム格納用エリアのうち、現在使用されている受信機制御用プログラムデータが格納されていない方の、受信機制御用新プログラムをダウンロードするためのプログラム格納用エリアに、取り込んだ静止画像を格納させる手段、
を備えていることを特徴とするデジタルテレビ放送受信機。
【発明の詳細な説明】
【０００１】
【発明の属する技術分野】
この発明は、デジタルテレビ放送受信機に関する。
【０００２】
【従来の技術】
近年開始されたＣＳを使用した多チャンネルデジタル衛星放送（ＣＳ放送）システムでは、例えば、１００以上の多数のチャンネルが用意されており、多数の番組が提供されている。このような放送では、今までにない機能、例えば、現在放送されている番組及び将来放送される番組案内情報や、送信事業者からのお知らせなどの情報が本来の番組データとともに所定時間間隔で伝送されてきている。
【０００３】
デジタルテレビ放送受信機では、これらの情報を基に、番組表、メニュー等の表示データを作成する。ユーザは、画面上に表示した番組表、メニューから、番組を選択したり、お知らせを見たりすることができる。
【０００４】
また、このＣＳ放送では、視聴者専用のＩＣカードによって番組購入履歴を管理し、ＩＣカードに蓄積された視聴履歴を電話回線を介して収集して課金するいわゆるＰＰＶ（PAY PER VIEW) と呼ばれるシステムが採用されている。
【０００５】
ところで、デジタルテレビ放送受信機では、従来はプログラムメモリとして書き換えのできないメモリが用いられていたが、現在では、ＣＳ放送形態の都合上、仕様変更や機能向上のために、プログラムメモリとして書き換え可能なメモリを採用することが規定されている。これにより、放送波によって送られてくるプログラムをダウンロードして、プログラムを最新のものに書き換えることができる。
【０００６】
また、プログラム書き換え時の電源遮断、伝送不具合に対応するために、プログラムメモリ内に、現在の制御プログラムを格納するバンクと、ダウンロードされる書き換え用データを格納するためのバンクとを設ける２バンク方式が推奨されている。
【０００７】
このようにプログラムメモリには、現在の制御プログラムを格納するバンクと、ダウンロードされる書き換え用データを格納するためのバンクとの２つのバンクが設けられているが、プログラムの書き換えは頻繁に行なわれることはないので、通常は２つのバンクのうちの一つは使用されていない。
【０００８】
ところで、デジタルテレビ放送受信機として、ユーザによる静止画取込み指令に基づいて、現在放映されている画像の静止画像を取り込んで記憶する機能と、ユーザによる静止画表示指令に基づいて、既に記憶している静止画像を表示させる機能とを備えたものがある。
【０００９】
この種のデジタルテレビ放送受信機では、従来においては、静止画像を２画面処理等を行なうためのフレームメモリに格納していた。このため、電源が遮断された場合に、フレームメモリに格納している静止画像が消去されてしまうという問題がある。
【００１０】
【発明が解決しようとする課題】
この発明は、プログラムメモリを静止画像を蓄積するために利用でき、プログラムメモリの有効利用が図れるとともに、電源遮断によって既に取得した静止画像が消去されるといったことを防止できるデジタルテレビ放送受信機を提供することを目的とする。
【００１１】
【課題を解決するための手段】
この発明によるデジタルテレビ放送受信機は、受信機制御用プログラムを格納するためのメモリであって、２つのプログラム格納エリアを有し、いずれか一方のエリアが現在使用されている受信機制御用プログラムデータを格納するためのエリアとして用いられ、他方のエリアがダウンロードによって得られる受信機制御用の新プログラムデータを格納するためのエリアとして用いられる、電気的書き換え可能な不揮発性メモリからなるプログラムメモリを備えているとともに、静止画取込み指令に基づいて現在放映されている画像の静止画像を取り込んで記憶する機能と、静止画表示指令に基づいて既に記憶している静止画像を表示させる機能とを備えているデジタルテレビ放送受信機において、静止画取込み指令が入力された際に、静止画像を取り込む手段、およびプログラムメモリ内の２つのプログラム格納用エリアのうち、現在使用されている受信機制御用プログラムデータが格納されていない方の、受信機制御用新プログラムをダウンロードするためのプログラム格納用エリアに、取り込んだ静止画像を格納させる手段を備えていることを特徴とする。
【００１２】
【発明の実施の形態】
以下、図面を参照して、この発明の実施の形態について説明する。
【００１３】
図１は、ＣＳデジタル放送を受信する機能を有するデジタルテレビ放送受信機の構成を示している。
【００１４】
システムコントローラ２０は、この例では、ＥＥＰＲＯＭ等の電気的書き換え可能な不揮発性メモリからなるプログラムメモリ２１、電気的書き換えが不可能な不揮発性メモリからなるブートＲＯＭ２２および揮発性メモリからなるワークＲＡＭ２３を備えている。また、システムコントローラ２０には、有料番組の購入履歴等が記憶されるＩＣカード２４が接続されるＩＣカードコネクタ２５が接続されている。
【００１５】
ブートＲＯＭ２２には、起動プログラムが格納されている。プログラムメモリ２１には、２つのプログラム格納用エリア２１ａ、２１ｂとが設けられている。第１プログラム格納用エリア２１ａおよび第２プログラム格納用エリア２１ｂのうちの一方のエリアは、現在使用されているプログラムデータ（現在有効なプログラムデータ）を格納するエリアとして用いられ、他方のエリアはダウンロードによって得られる書き換え用データを格納するためのエリアとして使用される。
【００１６】
電源が供給されると、システムコントローラ２０はブートＲＯＭ２４内の起動プログラムによって実行を開始し、プログラムメモリ２１内の第１プログラム格納用エリア２１ａおよび第２プログラム格納用エリア２１ｂの一方に格納されている現在有効なプログラムデータをワークＲＡＭ２３に転送する。そして、ワークＲＡＭ２３に転送されたプログラムデータに基づいて制御を行なう。
【００１７】
通信衛星（ＣＳ）を利用したＣＳ放送波は、アンテナ１を介してチューナ２に送られ、高周波処理および復調が行われる。チューナ２からの出力はＤＥＭＵＸ回路３に送られ、パケットの復号が行われる。
【００１８】
ＤＥＭＵＸ回路３において、パケットは、ＭＰＥＧデータと番組案内情報等の付属情報とに分別される。ＤＥＭＵＸ回路３によって分別されたＭＰＥＧデータは、ＡＶデコーダ４に送られる。ＤＥＭＵＸ回路３によって分別された付属情報は、システムコントローラ２０に送られる。
【００１９】
システムコントローラ２０は、ＤＥＭＵＸ回路３から送られきた付属情報を、ワークＲＡＭ２３に格納する。システムコントローラ２０には、リモコン送信機１２からのリモコン信号がリモコン受光器１３を介して入力される。
【００２０】
システムコントローラ２０は、チューナ２およびＤＥＭＵＸ回路３に選局のための情報等を送る。また、システムコントローラ２０は、各種操作画面をＣＲＴ８にオンスクリーン表示させるためのＯＳＤ制御信号を、ＯＳＤ表示回路１４に送る。ＯＳＤ表示回路１４は、番組ガイド、メニュー等の表示データを生成して、ＯＳＤ信号としてマルチプレクサ（合成回路）６に送る。
【００２１】
ＡＶデコーダ４は、ＤＥＭＵＸ回路３から送られきたＭＰＥＧデータを復調する。ＡＶデコーダ４によって得られた映像信号は、映像処理回路５を介してマルチプレクサ６に送られる。マルチプレクサ６は、映像処理回路５から出力された映像データにＯＳＤ表示回路１４から送られてきた表示データをスーパーインポーズ処理して、映像出力回路７に送る。映像出力回路７から出力された映像信号は、ＣＲＴ８に送られる。
【００２２】
ＡＶデコーダ４によって得られた音声信号は、音声処理回路９および音声出力回路１０を介してスピーカ１１に送られる。
【００２３】
書き換え用のプログラムデータを含む書き換え用データが放送によって送出されているときには、システムコントローラ２０は、付属情報に基づいてダウンロード制御テーブル（DCT:Download Control Table) を取得する。このダウンロード制御テーブルには、メーカＩＤ、モデルＩＤおよびバージョンＩＤが含まれている。
【００２４】
システムコントローラ２０は、メーカＩＤおよびモデルＩＤが当該デジタルテレビ放送受信機に適合しているか否かを判定し、適合している場合には、バージョンＩＤが現在搭載されているプログラムのそれよりも新しいか否かを判別する。バージョンＩＤが現在搭載されているプログラムのそれよりも新しい場合には、ダウンロードを開始することが可能となる。
【００２５】
ダウンロードを開始させるためには、ユーザはリモコン送信機１２を操作して、メニュー画面を呼びたし、ダウンロードメニューを選択して、ダウンロード指令を入力する。
【００２６】
ダウンロード指令が入力されると、ダウンロードを開始し、プログラムメモリ２１内の第１プログラム格納用エリア２１ａおよび第２プログラム格納用エリア２１ｂのうち、現在使用されているプログラムデータが格納されていない方のエリアに、ダウンロードした書き換え用データを格納していく。このように、現在の制御プログラムが格納されていない方のエリアに書き換え用データを格納するようにしているのは、ダウンロードが正常に終了しない場合に、再起動を行なうことによってダウンロード開始前に使用していたプログラムを実行できるようにするためである。
【００２７】
このデジタルテレビ放送受信機は、ユーザによる静止画取込み指令に基づいて、現在放映されている画像の静止画像を取り込んで記憶する機能と、ユーザによる静止画表示指令に基づいて、既に記憶している静止画像を表示させる機能とを備えている。静止画取込み指令は、ユーザがリモコン送信機１２に設けられた静止画取込みボタンを押すことによって、システムコントローラ２０に入力される。静止画表示指令は、ユーザがリモコン送信機１２に設けられた静止画表示ボタンを押すことによって、システムコントローラ２０に入力される。
【００２８】
図２は、システムコントローラ２０に静止画取込み指令が入力された場合のシステムコントローラ２０による処理手順を示している。
【００２９】
静止画取込み指令が入力されると、システムコントローラ２０は、プログラムメモリ２１内の第１プログラム格納用エリア２１ａおよび第２プログラム格納用エリア２１ｂのうち、現在使用されているプログラムデータが格納されていない方のエリアを書き込みエリアとして特定する（ステップ１）。
【００３０】
ＡＶデコーダ４から１画面分の静止画像データを取込み、取り込んだ静止画像データを、ワークＲＡＭ２３に転送する（ステップ２）。
【００３１】
この後、ワークＲＡＭ２３に転送された１画面分の静止画像データを、ステップ１で特定した書き込みエリア（２１ａまたは２１ｂ）に格納する（ステップ３）。
図３は、システムコントローラ２０に静止画表示指令が入力された場合のシステムコントローラ２０による処理手順を示している。
【００３２】
システムコントローラ２０に静止画表示指令が入力されると、システムコントローラ２０は、プログラムメモリ２１内の第１プログラム格納用エリア２１ａおよび第２プログラム格納用エリア２１ｂのうち、静止画像データが書き込まれているエリアを静止画格納済エリアとして特定する（ステップ１１）。
【００３３】
そして、ステップ１１で特定した静止画格納済エリア（２１ａまたは２１ｂ）に格納されている静止画像データを、ＡＶデコーダ４に転送する（ステップ１２）。これにより、既に取り込まれていた静止画がＣＲＴ８に表示される。
【００３４】
【発明の効果】
この発明によれば、プログラムメモリを静止画像を蓄積するために利用でき、プログラムメモリの有効利用が図れるとともに、電源遮断によって既に取得した静止画像が消去されるといったことを防止できる。
【図面の簡単な説明】
【図１】ＣＳデジタル放送を受信する機能を有するデジタルテレビ放送受信機の構成を示すブロック図である。
【図２】システムコントローラ２０に静止画取込み指令が入力された場合のシステムコントローラ２０による処理手順を示すフローチャートである。
【図３】システムコントローラ２０に静止画表示指令が入力された場合のシステムコントローラ２０による処理手順を示すフローチャートである。
【符号の説明】
４  ＡＶデコーダ
２０  システムコントローラ
２１  プログラムメモリ
２２  ブートＲＯＭ
２３  ワークＲＡＭ
【図１】
0003653433.tif 000002
【図２】
0003653433.tif 000003
【図３】
0003653433.tif 000004